(57)【要約】【課題】  複雑な形状の操作パネルを容易に成形することができ、製造時に導電パターンに断線が発生したり、バリが発生するおそれを排除できるタッチセンサ及びその製造方法を提供する。【解決手段】  操作対象の操作パネル１のフランジ７後部に別体の接続片１０を接続し、これら操作パネル１と接続片１０とに導電パターン２０を形成する静電容量型のタッチセンサであり、導電パターン２０を、三次元成形された操作パネル１の裏面に形成される複数の電極と、各電極から接続片１０方向に伸びる複数本の導電ライン２２とから形成し、各導電ライン２２の端部２３を接続片１０の複数本の配線ライン１３の先端部１４表面に重ねて導通接続する。形が大きく異なる操作パネル１と接続片１０とを別々に形成するので、操作パネル１の成形の自由度が向上し、一枚の樹脂シート２を用いて三次元形状の複雑な操作パネル１を容易に熱成形できる。【選択図】  図５
2020004535.tif 000002
【特許請求の範囲】
【請求項１】
操作パネルに別体の接続片が接続され、これら操作パネルと接続片とに導電パターンが形成されるタッチセンサであって、
導電パターンは、操作パネルの電極から接続片方向に伸びる導電ラインを有し、この導電ラインが接続片の配線ラインに重ねて導通接続されることを特徴とするタッチセンサ。
【請求項２】
操作パネルは、三次元形状に成形され、周壁からフランジが幅方向外側に突出しており、
接続片は、操作パネルのフランジに接続される樹脂シートと、この樹脂シートの少なくとも裏面に形成される配線ラインとを含み、
導電パターンは、操作パネルの裏面に直接形成される電極と、操作パネルの裏面に直接形成される導電ラインとを含み、この導電ラインが電極から操作パネルのフランジを経由して接続片の裏面方向に伸び、導電ラインの端部が接続片の配線ラインの端部に重ねて導通接続される請求項１記載のタッチセンサ。
【請求項３】
接続片は、配線ラインを被覆する絶縁保護層を含んでなる請求項２記載のタッチセンサ。
【請求項４】
操作パネルのフランジと接続片の樹脂シートとに、接続片の脱落を防止する補強材が設けられる請求項２又は３記載のタッチセンサ。
【請求項５】
操作パネルのフランジに、接続片の樹脂シートに嵌まる嵌合溝が形成され、操作パネルのフランジの嵌合溝に接続片の樹脂シートが嵌めて接続されることにより、操作パネルのフランジ裏面と接続片の樹脂シート裏面とが略面一に揃えられる請求項２、３、又は４記載のタッチセンサ。
【請求項６】
操作パネルのフランジの嵌合溝と接続片の樹脂シートとの間の隙間に、接続片用の位置ずれ防止材が充填される請求項５記載のタッチセンサ。
【請求項７】
操作パネルのフランジと接続片の少なくともいずれか一方に、視覚センサ用の位置決めマークが形成される請求項２ないし６のいずれかに記載のタッチセンサ。
【請求項８】
操作パネルに別体の接続片を接続し、これら操作パネルと接続片とに導電パターンを形成する請求項１ないし７のいずれかに記載のタッチセンサの製造方法であって、
操作パネルに導電パターンの電極を形成し、この電極から接続片方向に導電ラインを伸ばすとともに、この導電ラインを接続片の配線ラインに重ねて導通接続することを特徴とするタッチセンサの製造方法。
【発明の詳細な説明】
【技術分野】
【０００１】
本発明は、自動車搭載機器、家電製品、情報通信機器等の操作に用いられるタッチセンサ及びその製造方法に関するものである。
【背景技術】
【０００２】
近年、自動車の音響機器や空調機器等の操作パネルには、デザイン性に優れ、直感的な操作が可能なタッチセンサが多く使用されている。このタッチセンサは、通常、三次元形状のパネルに、薄い樹脂に導電回路を形成した樹脂フィルムが貼着されることにより製造される。しかしながら、三次元形状のパネルに樹脂フィルムを美しく整えて貼着するには、樹脂フィルムの一部を伸縮させて貼着する作業が必要となるので、作業が煩雑化し、困難を来すことが多い。
【０００３】
この点に鑑み、従来においては、樹脂フィルムの貼着作業の容易化を図ることのできるタッチセンサが検討され、開発されている。この種のタッチセンサは、図示しないが、フィルムに回路パターンが印刷された回路パターン層と、この回路パターン層の裏面に選択的に積層される保護層と、回路パターン層の表面に部分的に積層される加飾層と、回路パターン層と加飾層とを接着する中間接着層と、加飾層を保護する保護層と、回路パターン層に保護層を介して裏面側から成形される支持体とを備え、これら回路パターン層、保護層、加飾層、中間接着層、保護層、及び支持体がそれぞれ三次元成形される（特許文献１参照）。
【０００４】
回路パターン層のフィルムは、例えば操作対象の円部の周縁から細長い接続用の矩形部が伸長することで形成される。また、回路パターン層の回路パターンは、例えばフィルムの円部に形成される複数の電極と、フィルムの円部と矩形部とに形成されて各電極の周縁部から矩形部方向に伸びる複数の導電ラインとを備え、これら複数の電極と導電ラインとが導電インクにより平面略スプーン形に配列して印刷される。
【０００５】
このようなタッチセンサを製造する場合には、先ず、回路パターン層、保護層、加飾層、中間接着層、及び保護層を積層して積層フィルムを形成し、この積層フィルムを高温の金型にセットして型締めすることにより、積層フィルムを立体的に三次元形成する。こうして積層フィルムを立体的に三次元形成したら、積層フィルムの回路パターン層の凹んだ裏面内に高温高圧の樹脂を保護層を介し射出して支持体を一体成形し、金型を冷却した後、金型を型開きして脱型すれば、タッチセンサを製造することができる。
【先行技術文献】
【特許文献】
【０００６】
【特許文献１】特許第５２２５１７８号公報
【発明の概要】
【発明が解決しようとする課題】
【０００７】
特許文献１のタッチセンサは、以上のように製造され、樹脂フィルムの貼着作業の容易化を図ることができる他、優れた効果が期待できる。しかしながら、特許文献１の場合には、回路パターン層のフィルムが形状の大きく異なる円部と矩形部との組み合わせなので、成形の自由度が低く、フィルムを用いて三次元形状の複雑な回路パターン層を容易に成形できない余地がある。
【０００８】
また、タッチセンサの製造時の金型に積層フィルムが型締めされ、金型の上型と下型に回路パターン層の導電ラインが挟持されるので、金型の挟持が強い場合には、回路パターン層の導電ラインに断線が発生する余地がある。これに対し、金型の挟持が弱い場合には、導電ラインの断線を防ぐことができるものの、バリが発生し、支持体の成形が困難になる余地があり得る。
【０００９】
本発明は上記に鑑みなされたもので、複雑な形状の操作パネルを容易に成形することができ、製造時に導電パターンに断線が発生したり、バリが発生するおそれを排除することのできるタッチセンサ及びその製造方法を提供することを目的としている。
【課題を解決するための手段】
【００１０】
本発明においては上記課題を解決するため、操作パネルに別体の接続片が接続され、これら操作パネルと接続片とに導電パターンが形成されるセンサであって、
導電パターンは、操作パネルの電極から接続片方向に伸びる導電ラインを有し、この導電ラインが接続片の配線ラインに重ねて導通接続されることを特徴としている。
【００１１】
なお、操作パネルは、三次元形状に成形され、周壁からフランジが幅方向外側に突出しており、
接続片は、操作パネルのフランジに接続される樹脂シートと、この樹脂シートの少なくとも裏面に形成される配線ラインとを含み、
導電パターンは、操作パネルの裏面に直接形成される電極と、操作パネルの裏面に直接形成される導電ラインとを含み、この導電ラインが電極から操作パネルのフランジを経由して接続片の裏面方向に伸び、導電ラインの端部が接続片の配線ラインの端部に重ねて導通接続されるようにすることができる。
【００１２】
また、接続片には、配線ラインを被覆する絶縁保護層を含むことができる。
また、操作パネルのフランジと接続片の樹脂シートとに、接続片の脱落を防止する補強材が設けられるようにすることもできる。
また、操作パネルのフランジに、接続片の樹脂シートに嵌まる嵌合溝が形成され、操作パネルのフランジの嵌合溝に接続片の樹脂シートが嵌めて接続されることにより、操作パネルのフランジ裏面と接続片の樹脂シート裏面とが略面一に揃えられるようにすることが可能である。
【００１３】
また、操作パネルのフランジの嵌合溝と接続片の樹脂シートとの間の隙間に、接続片用の位置ずれ防止材が充填されるようにすることが可能である。
また、操作パネルのフランジと接続片の少なくともいずれか一方に、視覚センサ用の位置決めマークが形成されるようにすることも可能である。
【００１４】
また、本発明においては上記課題を解決するため、操作パネルに別体の接続片を接続し、これら操作パネルと接続片とに導電パターンを形成する請求項１ないし７のいずれかに記載のタッチセンサの製造方法であって、
操作パネルに導電パターンの電極を形成し、この電極から接続片方向に導電ラインを伸ばすとともに、この導電ラインを接続片の配線ラインに重ねて導通接続することを特徴としている。
【００１５】
ここで、特許請求の範囲における操作パネルは、樹脂含有の成形材料や樹脂シート（樹脂フィルムを含む）等により各種成形法で成形することができる。接続片の樹脂シートには、絶縁性の樹脂シートや樹脂フィルムが含まれる。この樹脂シートは、透明、不透明、半透明のいずれでも良い。また、導電パターンや絶縁保護層も、透明、不透明、半透明のいずれでも良い。視覚センサ用の位置決めマークは、操作パネルのフランジ及び接続片の樹脂シート、操作パネルのフランジ、又は接続片の樹脂シートに形成することができる。さらに、本発明に係るタッチセンサは、タッチスイッチやタッチパッド等として利用することができる。
【００１６】
本発明によれば、操作パネルと接続片とを別々に形成した後、接続するので、操作パネルの成形の自由度が向上する。また、操作パネルの製造に金型を使用する場合、金型に配線ラインや導電ラインが挟まれることがないので、これら配線ラインや導電ラインに断線が発生するおそれを低減することができる。
【発明の効果】
【００１７】
本発明によれば、操作パネルを成形する場合、複雑な形状の操作パネルを容易に成形することができるという効果がある。また、タッチセンサの製造時に導電パターンに断線が発生したり、バリが発生するおそれを有効に排除することができるという効果がある。
【００１８】
請求項２記載の発明によれば、操作パネルが立体的な三次元形状なので、使用者が直感的に操作可能であり、しかも、操作パネルの立体化により、高級感や上質感を醸し出すことができる。また、操作パネルの裏面に導電パターンを直接形成するので、導電性や静電容量を確保するため、異方性導電フィルム等を用いる必要が少なく、製造コストの削減が期待できる。また、操作パネルの張り出したフランジに接続片の樹脂シートを接続するので、接続片の接続が容易となる。
【００１９】
請求項３記載の発明によれば、絶縁保護層により、樹脂シートの配線ラインを被覆して外部の塵埃、液体等から保護することができる。
請求項４記載の発明によれば、操作パネルのフランジに接続片を接続する場合、フランジと接続片の樹脂シートとに補強材を設けるので、接続片の接続強度の向上が期待できる。
【００２０】
請求項５記載の発明によれば、操作パネルのフランジ裏面と接続片の樹脂シート裏面とを略面一に揃えるので、フランジと接続片との間に段差の生じることが少なく、樹脂シートの端部、及び配線ラインの端部に導電ライン用の導電材料を跡切れることなく塗布して導電ラインを形成することが可能となる。したがって、導電ラインの断線を防いだり、連続した導電ラインを円滑に形成することが可能となる。
【００２１】
請求項６記載の発明によれば、嵌合溝と樹脂シートとの隙間に、位置ずれ防止材を充填するので、接続片の位置ずれを防ぎ、導電ラインの端部と配線ラインの端部との間に導通接続部を適切に位置合わせして形成することが可能となる。
【００２２】
請求項７記載の発明によれば、操作パネルのフランジに接続片を接続する際、位置決めマークを視覚センサにより撮像して画像処理等することで、操作パネルのフランジに接続片を高精度に接続することができる。また、高精度な位置決め接続により、樹脂シート、及び配線ラインの端部に導電ライン用の導電材料を高精度に塗布して導電ラインを連続形成することができる。
【図面の簡単な説明】
【００２３】
【図１】本発明に係るタッチセンサの実施形態を模式的に示す斜視説明図である。
【図２】図１を裏面側から模式的に示す斜視説明図である。
【図３】本発明に係るタッチセンサの実施形態における操作パネル、接続片、導電パターンを裏面側から模式的に示す斜視説明図である。
【図４】本発明に係るタッチセンサの実施形態を模式的に示す断面側面図である。
【図５】本発明に係るタッチセンサの実施形態を模式的に示す要部断面説明図である。
【図６】本発明に係るタッチセンサの第２の実施形態を模式的に示す要部断面説明図である。
【図７】本発明に係るタッチセンサの第３の実施形態における操作パネルを裏面側から模式的に示す斜視説明図である。
【図８】本発明に係るタッチセンサの第３の実施形態を模式的に示す断面側面図である。
【図９】本発明に係るタッチセンサの第３の実施形態における補強材を設けた変形例を模式的に示す要部断面説明図である。
【図１０】本発明に係るタッチセンサの第３の実施形態における補強材を省略した変形例を模式的に示す要部断面説明図である。
【図１１】本発明に係るタッチセンサの第４の実施形態における位置ずれ防止材の充填前の状態を模式的に示す斜視説明図である。
【図１２】本発明に係るタッチセンサの第４の実施形態における位置ずれ防止材の充填後の状態を模式的に示す斜視説明図である。
【図１３】本発明に係るタッチセンサの第５の実施形態における複数の位置決めマークを模式的に示す斜視説明図である。
【図１４】本発明に係るタッチセンサの第５の実施形態における接続片の一対の位置決めマークを模式的に示す平面説明図である。
【発明を実施するための形態】
【００２４】
以下、図面を参照して本発明の好ましい実施の形態を説明すると、本実施形態におけるタッチセンサは、図１ないし図５に示すように、操作対象の操作パネル１に別体の接続片１０を接続し、これら操作パネル１と接続片１０とに導電パターン２０を形成する静電容量型のセンサであり、導電パターン２０を、操作パネル１に形成される複数の電極２１と、各電極２１から接続片１０方向に伸びる複数本の導電ライン２２とから形成し、各導電ライン２２を接続片１０の複数本の配線ライン１３に重ねて接続するようにしている。
【００２５】
操作パネル１は、図１ないし図４に示すように、例えば厚さ３ｍｍ程度の所定の樹脂シート２を使用して平面矩形の三次元形状に成形される。この操作パネル１の所定の樹脂シート２としては、特に限定されるものではないが、例えばポリエステル系、ポリプロピレン系、ポリエチレン、ポリエチレンテレフタレート、ポリカーボネート、ポリアミド、ポリイミド、フェノール樹脂系、ガラス繊維含浸エポキシ樹脂、ＡＢＳ樹脂、アクリル樹脂、あるいはこれらのアロイ製の絶縁シート等があげられる。これらの中でも、寸法安定性や絶縁性に優れる可撓性のポリエチレンテレフタレートやポリカーボネート、ポリカーボネートとＡＢＳ樹脂のアロイ製の絶縁シートが最適である。
【００２６】
操作パネル１は、立体的な断面略ハット形に熱成形（例えば、真空成形や圧空成形等）され、指等で接触操作される平面略矩形の天井３の略中心部に、平面円形の陥没部４が徐々に縮径となるよう凹み形成されるとともに、天井３の両側部に、平面略半円弧形の模様部５がそれぞれ形成されており、この左右一対の模様部５が所定の間隔をおき陥没部４を挟んで対向する。また、操作パネル１の前後左右の周壁６は、天井３の周縁部から下方に向け徐々に幅方向外側に広がるよう傾斜形成され、下端部から補強用のフランジ７が幅方向外側に水平に突出しており、このフランジ７の後部中央の裏面に接続片１０が接続される。
【００２７】
なお、操作パネル１は、樹脂シート２の他、樹脂含有の成形材料により三次元形状に成形しても良い。この場合、操作パネル１は、肉厚の三次元形状に射出成形等することができる。
【００２８】
接続片１０は、図１ないし図５に示すように、操作パネル１のフランジ７の後部中央裏面に接続される細長い平面矩形の樹脂フィルム１１と、この樹脂フィルム１１の表裏面のうち、少なくとも裏面に形成される複数本の配線ライン１３と、この複数本の配線ライン１３を被覆する絶縁保護層１５とを備えて操作パネル１とは別に形成され、図示しない外部回路に接続される。
【００２９】
接続片１０の樹脂フィルム１１としては、特に限定されるものではないが、例えばポリエステル系、ポリプロピレン系、ポリエチレン、ポリエチレンテレフタレート、ポリカーボネート、ポリアミド、ポリイミド、フェノール樹脂系、ガラス繊維含浸エポキシ樹脂、アクリル製の絶縁フィルム等があげられ、厚さが１００μｍ以上２００μｍ以下、好ましくは１２０μｍ以上１８０μｍ以下、より好ましくは１４０μｍ以上１６０μｍ以下程度に設定される。これらの絶縁フィルムの中では、寸法安定性や絶縁性に優れる可撓性のポリエチレンテレフタレートやポリカーボネート製の絶縁フィルムが好適である。
【００３０】
このような樹脂フィルム１１は、図２ないし図５に示すように、屈曲可能な平面長方形の帯形に形成されるとともに、先端部が既に成形された操作パネル１のフランジ７の後部中央裏面に両面粘着材１２、接着剤、あるいは接着材等により貼着され、自由な末端部が外部回路に着脱自在に接続される。
【００３１】
複数本の配線ライン１３は、樹脂フィルム１１の幅方向に所定の間隔をおいて配列形成され、各配線ライン１３が樹脂フィルム１１の長手方向に伸長されており、各配線ライン１３の先端部１４が導電ライン２２に電気的に接続される。この配線ライン１３は、金、銀、銅、ニッケル、クロム、アルミニウム、真鍮、これらの積層部材や合金、導電ペースト、カーボンナノチューブ、カーボンナノファイバー、導電性ポリマー等の導電材料を使用して印刷される。
【００３２】
絶縁保護層１５は、例えば接続片１０の樹脂フィルム１１用の樹脂フィルムにより、細長い透明の平面矩形に形成され、樹脂フィルム１１の裏面に粘着材や接着材を介し積層接着されて複数本の配線ライン１３を覆い、配線ライン１３を外部の塵埃から有効に被覆保護する。この絶縁保護層１５は、配線ライン１３の他、配線ライン１３と導電パターン２０の導電ライン２２との接続部を部分的に被覆する（図５参照）。
【００３３】
導電パターン２０は、図３ないし図５に示すように、操作パネル１の裏面にパターン形成される複数の電極２１と、この複数の電極２１から操作パネル１のフランジ７を経由して接続片１０の裏面方向に伸長される複数本の導電ライン２２とを備え、各導電ライン２２の端部２３が接続片１０の配線ライン１３の先端部１４に重ねて導通接続される。
【００３４】
複数の電極２１は、例えば接続片１０の配線ライン１３と同様の導電材料により操作パネル１の内部裏面、具体的には操作パネル１の天井３裏面に直接形成され、各電極２１が平面円形、楕円形、円弧形、扇形、矩形、多角形等に形成されており、操作パネル１の天井３の表面に触れる指等との間に静電容量を形成する。この複数の電極２１は、例えば操作パネル１の陥没部４や模様部５等に必要数が対向するよう配列される。
【００３５】
複数本の導電ライン２２は、例えば配線ライン１３と同様の導電材料により形成され、大部分が操作パネル１の裏面に直接配列形成されるとともに、残部が接続片１０に直接配列形成される。各導電ライン２２は、図５に部分的に示すように、電極２１の周縁部から操作パネル１の周壁６の裏面、フランジ７の裏面、接続片１０の樹脂フィルム１１の先端部を順次経由して配線ライン１３の先端部１４の表面に乗り上げるよう接続され、配線ライン１３の先端部１４との間に接続部、すなわち、導通接続部２４を形成する。導電ライン２２と配線ライン１３とは、電気的な接続を良好に形成するため、略同じ幅の線条に形成されることが望ましい。
【００３６】
上記構成において、静電容量型のタッチセンサを製造する場合には、先ず、操作パネル１用の樹脂シート２を用意し、この樹脂シート２を加熱して軟化させ、この軟化した樹脂シート２を金型上に配置するとともに、金型内を真空引きすることにより、金型内に軟化した樹脂シート２を密着させ、三次元形状の操作パネル１を熱成形する。
【００３７】
また、操作パネル１の熱成形と前後して接続片１０用の樹脂フィルム１１を用意し、この樹脂フィルム１１に配線ライン１３用の導電材料を印刷して乾燥硬化させることにより、複数本の配線ライン１３を配列形成し、その後、樹脂フィルム１１を所定の大きさ・長さに切断して接続片１０を形成する。導電材料の印刷方法としては、特に限定されるものではないが、生産の効率化とコスト低減の観点からすると、スクリーン印刷法が好ましい。
【００３８】
次いで、操作パネル１のフランジ７の後部に接続片１０の先端部を位置決めしながら両面粘着材１２を介して後付け粘着し、操作パネル１と接続片１０の裏面を揃えて同じ向きとする。この際、接続片１０の樹脂フィルム１１が薄膜なので、操作パネル１のフランジ７の後部裏面と接続片１０の先端部との間に大きな段差の生じることが少なく、導電パターン２０の連続形成の容易化に資することができる。
【００３９】
次いで、操作パネル１の天井３の裏面に導電パターン２０の電極２１用の導電材料を塗布して乾燥硬化させることにより、複数の電極２１を直接形成し、電極２１の周縁部から操作パネル１の周壁６の裏面、フランジ７の裏面、接続片１０の樹脂フィルム１１の先端部、及び配線ライン１３の先端部１４の表面に導電ライン２２用の導電材料を連続塗布して乾燥硬化させることで、複数本の導電ライン２２を直接形成し、導電ライン２２の端部２３と配線ライン１３の先端部１４との間に導通接続部２４を形成する。導電パターン２０用の導電材料の塗布方法としては、特に限定されるものではないが、パターン変更が容易なディスペンサ法、エッチング液や廃液を大幅に削減可能なインクジェット法が良い。
【００４０】
導電パターン２０を形成したら、接続片１０の樹脂フィルム１１裏面に絶縁保護層１５を積層接着し、複数本の配線ライン１３を被覆するとともに、接続片１０の配線ライン１３と導電ライン２２との導通接続部２４を部分的に被覆すれば、タッチセンサを製造することができる。
【００４１】
上記によれば、形が大きく異なる操作パネル１と接続片１０とを一体ではなく、別々に形成して後から一体化するので、操作パネル１の成形の自由度が大幅に向上する。したがって、一枚の樹脂シート２を用いて三次元形状の複雑な操作パネル１を容易に成形することができる。
【００４２】
また、操作パネル１の製造時の金型に配線ライン１３や導電ライン２２が挟持されることがないので、これら配線ライン１３や導電ライン２２に断線が発生するおそれを有効に排除することができる。また、バリ発生のおそれをも有効に排除することができる。さらに、操作パネル１の裏面に導電パターン２０を貼着するのではなく、直接描いて形成するので、異方性導電フィルム（ＡＣＦ）を用いる必要がなく、製造コストの削減が大いに期待できる。
【００４３】
次に、図６は本発明の第２の実施形態を示すもので、この場合には、操作パネル１のフランジ７の後部と接続片１０の樹脂フィルム１１とに、接続片１０の脱落を防止する補強材３０を設けるようにしている。
【００４４】
補強材３０は、特に限定されるものではないが、例えば各種の接着剤、具体的にはアクリル系接着剤やエポキシ系接着剤等からなり、フランジ７の後部周縁と樹脂フィルム１１の表面とに接着され、乾燥硬化することにより、フランジ７の後部から接続片１０が剥がれて脱落するのを防止するよう機能する。その他の部分については、上記実施形態と同様であるので説明を省略する。
【００４５】
本実施形態においても上記実施形態と同様の作用効果が期待でき、しかも、操作パネル１のフランジ７の後部に接続片１０の先端部を粘着する他、フランジ７の後部周縁と樹脂フィルム１１の表面とに補強材３０を接着するので、接続片１０の接続強度を大幅に向上させることができるのは明らかである。
【００４６】
次に、図７ないし図１０は本発明の第３の実施形態を示すもので、この場合には、操作パネル１のフランジ７の後部中央に、接続片１０の樹脂フィルム１１の先端部に僅かな隙間を介して遊嵌する嵌合溝８を形成し、フランジ７の嵌合溝８に樹脂フィルム１１の先端部を遊嵌して接続することにより、フランジ７の裏面と樹脂フィルム１１の裏面とを略面一に揃えるようにしている。
【００４７】
嵌合溝８は、操作パネル１のフランジ７の後部中央裏面に、樹脂フィルム１１の先端部よりも僅かに大きい平面矩形に切り欠き形成され、樹脂フィルム１１と両面粘着材１２の厚さ分だけ凹み形成される。また、フランジ７の後部周縁と樹脂フィルム１１の表面とには補強材３０が必要に応じ、接着されたり（図８、図９参照）、省略される（図１０参照）。その他の部分については、上記実施形態と同様であるので説明を省略する。
【００４８】
本実施形態においても上記実施形態と同様の作用効果が期待でき、しかも、フランジ７の裏面と樹脂フィルム１１の裏面とを略面一に揃えるので、フランジ７の後部裏面と接続片１０との間に段差の生じることがなく、樹脂フィルム１１の先端部、及び配線ライン１３の先端部１４の表面に導電ライン２２用の導電材料を跡切れることなく塗布して導電ライン２２を簡易に連続形成することができる。したがって、段差に伴う導電材料の断絶や導電ライン２２の断線を防止し、導電ライン２２を確実かつ容易に形成することができるのは明らかである。
【００４９】
次に、図１１と図１２は本発明の第４の実施形態を示すもので、この場合には、接続片１０の接着時における位置ずれを考慮し、操作パネル１のフランジ７の嵌合溝８に接続片１０の樹脂フィルム１１の先端部を遊嵌して粘着した後、これら嵌合溝８と樹脂フィルム１１の先端部との間の隙間９に、接続片１０用の位置ずれ防止材３１を充填するようにしている。
【００５０】
位置ずれ防止材３１は、特に限定されるものではないが、例えば各種の接着剤、具体的にはアクリル系接着剤やエポキシ系接着剤等からなり、嵌合溝８の内部と樹脂フィルム１１の先端部との僅かな隙間９に充填され、乾燥硬化することにより、接続片１０の位置ずれを防止するよう機能する。その他の部分については、上記実施形態と同様であるので説明を省略する。
【００５１】
本実施形態においても上記実施形態と同様の作用効果が期待でき、しかも、嵌合溝８と樹脂フィルム１１の先端部との隙間９に、位置ずれ防止材３１を介在するので、嵌合溝８内で接続片１０がＸＹ方向に位置ずれするのを防止し、配線ライン１３の先端部１４と導電ライン２２の端部２３との間に導通接続部２４を高精度に形成することができる。
【００５２】
次に、図１３と図１４は本発明の第５の実施形態を示すもので、この場合には、操作パネル１のフランジ７と接続片１０とに、視覚センサ用の位置決めマーク３２をそれぞれ形成するようにしている。
【００５３】
複数の位置決めマーク３２は、操作パネル１に形成される場合には、樹脂フィルム１１の先端部を挟むようフランジ７の後部に並べて穿孔形成され、接続片１０に形成される場合には、樹脂フィルム１１あるいは絶縁保護層１５の先端部両側にそれぞれ形成される。各位置決めマーク３２は、必要に応じ、○、◎、△、□等の色付き模様に印刷される。その他の部分については、上記実施形態と同様であるので説明を省略する。
【００５４】
本実施形態においても上記実施形態と同様の作用効果が期待でき、しかも、操作パネル１のフランジ７の後部に接続片１０の先端部を後から粘着する際、これらの複数の位置決めマーク３２をカメラ等の視覚センサにより撮像して画像処理することで、フランジ７の後部に接続片１０の先端部を高精度に位置決め粘着することができる。また、高精度な位置決め粘着により、樹脂フィルム１１の先端部、及び配線ライン１３の先端部１４の表面に導電ライン２２用の導電材料を高精度に塗布して導電ライン２２を形成することが可能となる。
【００５５】
なお、上記実施形態では操作パネル１を三次元形状に成形したが、何らこれに限定されるものではなく、二次元成形しても良い。また、操作パネル１は、平面矩形でも良いが、平面円形、楕円形、多角形でも良い。また、操作パネル１は、断面略Ｃ字形、略Ｍ字形、略Ｕ字形、略Ｖ字形、略Ｗ字形、半円形、半楕円形等の三次元形状に熱成形しても良い。操作パネル１の陥没部４や模様部５は、必要に応じ、増やしても良い。また、操作パネル１を、型締めした金型に樹脂含有の成形材料を射出し、三次元形状の樹脂成形体に射出成形することもできる。
【００５６】
また、操作パネル１のフランジ７に接続片１０の先端部を粘着した後、操作パネル１の天井３の裏面に導電パターン２０の複数の電極２１を直接形成したり、電極２１の周縁部から操作パネル１の周壁６の裏面、フランジ７の裏面、接続片１０の樹脂フィルム１１の先端部、及び配線ライン１３の先端部１４の表面に複数本の導電ライン２２を直接形成したが、何らこれに限定されるものではない。
【００５７】
例えば、操作パネル１の熱成形後、操作パネル１の天井３の裏面に導電パターン２０の複数の電極２１を直接形成したり、電極２１の周縁部から操作パネル１の周壁６の裏面、フランジ７の裏面に複数本の導電ライン２２の大部分を直接形成することができる。この場合、操作パネル１のフランジ７に接続片１０の先端部を粘着した後、接続片１０の樹脂フィルム１１の先端部、及び配線ライン１３の先端部１４の表面に導電ライン２２の残部を直接形成することができる。
【００５８】
また、操作パネル１の天井３と周壁６の裏面とに、導電パターン２０の電極２１用の導電材料をそれぞれ塗布して乾燥硬化させることにより、複数の電極２１を直接形成することも可能である。さらに、接続片１０の配線ライン１３を、必要に応じ、樹脂フィルム１１の表裏面に形成することも可能である。
【産業上の利用可能性】
【００５９】
本発明に係るタッチセンサ及びその製造方法は、自動車搭載機器、家電製品、携帯機器、ゲーム機器、コンピュータ機器、住宅設備、情報通信機器等の製造分野で使用される。
【符号の説明】
【００６０】
１        操作パネル
２        樹脂シート
３        天井
６        周壁
７        フランジ
８        嵌合溝
９        隙間
１０      接続片
１１      樹脂フィルム（樹脂シート）
１３      配線ライン
１４      先端部
１５      絶縁保護層
２０      導電パターン
２１      電極
２２      導電ライン
２３      端部
２４      導通接続部
３０      補強材
３１      位置ずれ防止材
３２      位置決めマーク
【図１】
2020004535.tif 000003
【図２】
2020004535.tif 000004
【図３】
2020004535.tif 000005
【図４】
2020004535.tif 000006
【図５】
2020004535.tif 000007
【図６】
2020004535.tif 000008
【図７】
2020004535.tif 000009
【図８】
2020004535.tif 000010
【図９】
2020004535.tif 000011
【図１０】
2020004535.tif 000012
【図１１】
2020004535.tif 000013
【図１２】
2020004535.tif 000014
【図１３】
2020004535.tif 000015
【図１４】
2020004535.tif 000016